【手続補正書】
【提出日】平成25年5月16日(2013.5.16)
【手続補正１】
【補正対象書類名】明細書
【補正対象項目名】００５４
【補正方法】変更
【補正の内容】
【００５４】
複数の物理的に結合された印刷エンジンのタイミングを同期させる上記の方法は、以下のように１次画像形成部材のタイミング誤差を最小限にする。すなわち、第１の印刷エンジンにある第１のタイミングを有する第１の１次画像形成部材にある１つまたは複数のタイミングマークの位置を使用して、目標時間を判定し、第１の印刷エンジンから、第２の印刷エンジンにある第２のタイミングを有する第２の１次画像形成部材へ、受像シートを方向付けて、第２の印刷エンジンにおける固定の位置に対する受像シートの公称（名目上の）到達時間を計算する。次いで、第２の印刷エンジンのフレームなどの固定のポイントの公称到達時間を使用して、第１の印刷エンジンにおける目標時間からの実際のタイミングの変動値を測定し、実際のタイミング変動値が所定の誤差許容範囲内にあるかどうか判定し、実際のタイミングが所定の誤差許容範囲外にある場合、その誤差にフラグが立てられる。第１の印刷エンジンにおける所望の連続する（後続の）フレームによる目標時間からの、第２の印刷エンジンの連続する（後続の）フレームの追加の実際のタイミング変動値を測定し、これらの変動値が測定かつ／またはフラグを立てられ、合計時間がタイミング許容範囲を超過した場合など、変動値が閾値を超過した場合、検出された微小変動を、第１のエンジンにおける１次画像形成部材の位置の同期に使用しないという信号を生成する。この方法は、２〜１０個の連続するフレームの間における２〜１０個のタイミング誤差判定の誤差限界に基づく閾値許容範囲をセットすることができる。上記信号は、第１の印刷エンジンによって生成することができ、第１の印刷エンジンにおける１次画像形成部材の位置に起因し、必要ならエンジンを停止することができる。
【手続補正２】
【補正対象書類名】明細書
【補正対象項目名】００５５
【補正方法】変更
【補正の内容】
【００５５】
本発明について特定の好ましい実施形態を特に参照して詳細に説明したが、本発明の趣旨および範囲内で変更形態および修正形態を実現できることが理解されよう。
（補遺）
以上に開示した実施の形態は、例えば次のような技術的思想を表していると解することもできる。
（１）
複数の物理的に結合された印刷エンジンのタイミングを、同期中における誤認識を招くおそれのある兆候である１次画像形成部材タイミング誤差を最小限にすることによって、同期させる方法であって、
第１の印刷エンジンにある第１のタイミングを有する第１の１次画像形成部材上の１つまたは複数のタイミングマークの位置を使用して、目標時間を決定するステップと、
前記第１の印刷エンジンから、第２の印刷エンジンにある第２のタイミングを有する第２の１次画像形成部材へ、受像シートを方向付けるステップと、
前記第２の印刷エンジンにおける固定位置に対する前記受像シートの公称到達時間を計算するステップと、
前記第２の印刷エンジンの前記公称到達時間と前記第１の印刷エンジンにおける前記目標時間を使用して、実際のタイミング変動値を測定するステップと、
前記実際のタイミング変動値が所定の誤差許容範囲内にあるかどうか判定し、そうでない場合、誤差に誤差限界としてフラグを立てる判定ステップと、
前記誤差限界をカウントして誤差限界数を求め、前記誤差限界数がタイミング許容範囲を超過した場合、前記誤差限界を発生させた情報を使用しないという信号を生成するカウントステップと、
を含む方法。
（２）
前記誤差限界数が、２〜１０個の誤差限界を含む、（１）に記載の方法。
（３）
前記誤差限界数が、１０個の連続するフレームのうちの２つ以上のフレームから判定される、（１）に記載の方法。
（４）
前記信号が、前記第１の印刷エンジンにある前記１次画像形成部材の位置を少なくとも部分的に原因として生じる誤差限界のために、前記第１の印刷エンジンによって生成される、（１）に記載の方法。
（５）
前記生成された、前記電子写真エンジンを停止させるはずの信号が、連続するフレームの実際の数よりも少ない指定誤差限界により無効にされる、（１）に記載の方法。
（６）
前記誤差限界が、前記印刷機に対して発生し得る外乱によって生じる微小変動を少なくとも部分的に原因として生じ、前記外乱が、トルク外乱、電力線電圧および周波数変動のうちの１つまたは複数によるものである外乱を含む、（１）に記載の方法。
（７）
前記誤差限界が、速度規定の限界近くで動作していることを少なくとも部分的に原因として生じ、前記誤差限界が、結果として誤差限界になるはずの漸増的微小変化である、（１）に記載の方法。
（８）
印刷機サイクルにおける予定されたイベントの際に誤差限界を判定するステップをさらに含む、（１）に記載の方法。
（９）
前記イベントが、最初の起動後の前記ＰＩＭの初回の回転後である、（８）に記載の方法。
（１０）
前記イベントが、様々な値に基づいてプログラム可能である、（８）に記載の方法。
（１１）
複数の物理的に結合された印刷エンジンのタイミングを、同期中において誤認識を招くおそれのある兆候である１次画像形成部材タイミング誤差を最小限にすることによって、同期させる方法であって、
第１の印刷エンジンにある第１のタイミングを有する第１の１次画像形成部材上の１つまたは複数のタイミングマークの位置を使用して、目標時間を決定するステップと、
前記第１の印刷エンジンから、第２の印刷エンジンにある第２のタイミングを有する第２の１次画像形成部材へ、受像シートを方向付けるステップと、
前記第２の印刷エンジンにおける固定位置に対する前記受像シートの公称到達時間を計算するステップと、
前記第２の印刷エンジンの前記公称到達時間と前記第１の印刷エンジンにおける前記目標時間を使用して、実際のタイミング変動値を測定するステップと、
前記実際のタイミング変動値が所定の誤差許容範囲内にあるかどうか判定し、そうでない場合、誤差に誤差限界としてフラグを立てる判定ステップと、
前記第２の印刷エンジンの１つまたは複数の連続するフレームの追加の実際のタイミング変動値を測定するステップと、
前記２つ以上の実際のタイミング変動値の絶対値を合計して合計タイミング変動値を求め、前記合計タイミング変動値が合計タイミング許容範囲を超過しない場合、前記誤差限界を発生させた情報を使用しないという信号を生成する合計ステップと、
を含む方法。
（１２）
前記合計ステップが、１０個の連続するフレームのうちの２個以上のフレームからの結果を使用して計算された２〜１０個の誤差限界判定の合計を含む、（１１）に記載の方法。
（１３）
前記生成された、前記電子写真エンジンを停止させるはずの信号が、連続するフレームの実際の数よりも少ない指定誤差限界により無効にされる、（１１）に記載の方法。
（１４）
印刷機サイクルにおける予定されたイベントで前記合計ステップを開始するステップをさらに含む、（１１）に記載の方法。
（１５）
前記イベントが、最初の起動後の前記ＰＩＭの初回の回転後である、（８）に記載の方法。
（１６）
前記生成された、前記電子写真エンジンを停止させるはずの信号が、前記合計ステップに基づいて無効にされる、（１１）に記載の方法。
（１７）
前記信号が、前記印刷機に対して発生し得る外乱によって生じる微小変動を少なくとも部分的に原因として生じる誤差限界により生成され、前記外乱が、トルク外乱、電力線電圧および周波数変動のうちの１つまたは複数によるものである外乱を含む、（１１）に記載の方法。
（１８）
前記信号が、速度規定の限界近くで動作していることを少なくとも部分的な原因として生成され、前記動作が、印刷機効率に影響を及ぼすはずの前記印刷機の不適当な運転停止をもたらすはずの漸増的微小変化をするようなものである、（１１）に記載の方法。
（１９）
同期中の判定を誤らせる兆候によるものである誤差を最小限にする複数の物理的に結合された印刷エンジンを含んだ電子写真印刷装置であって、
１次画像形成部材をそれぞれ含んだ、結合された複数の電子写真印刷モジュールにおいて、第２の印刷エンジンにある前記１次画像形成部材の位置が、第１のエンジンにある前記１次画像形成部材の位置と、前記第１の印刷エンジンによって生成された信号によって同期される、電子写真印刷モジュールと、
第１の印刷エンジンにある第１のタイミングを有する第１の１次画像形成部材上の１つまたは複数のタイミングマークの位置を使用して、目標時間を、前記受像シートが前記第２の印刷エンジンにおける固定位置に到達する公称到達時間と比較するための比較器において、前記比較を、前記第１の印刷エンジンにおける前記目標時間からの前記第２の印刷エンジンの前記公称到達時間を使用して前記実際のタイミング変動値を測定するために行う比較器と、
前記タイミングが前記所定の誤差許容範囲外にあると判定した場合に有効化され、その誤差に誤差限界としてフラグが立てられる誤差フラグと、
前記誤差限界をカウントして合計誤差限界数を求め、前記誤差限界数がタイミング許容範囲を超過した場合、前記誤差限界を発生させた情報を使用しないという信号を生成するカウンタと、
を備える装置。
（２０）
前記誤差限界数が、１０個の連続するフレームのうち２つ以上のフレームから判定された２〜１０個の誤差限界を含んだときに、前記信号が生成される、（１９）に記載の装置。
【手続補正３】
【補正対象書類名】特許請求の範囲
【補正対象項目名】全文
【補正方法】変更
【補正の内容】
【特許請求の範囲】
【請求項１】
複数の物理的に結合された印刷エンジンのタイミングを、同期中における誤認識を招くおそれのある兆候である１次画像形成部材タイミング誤差を最小限にすることによって、同期させる方法であって、
第１の印刷エンジンにある第１のタイミングを有する第１の１次画像形成部材上の１つまたは複数のタイミングマークの位置を使用して、印刷を始めるべき目標時間を決定するステップと、
前記第１の印刷エンジンから、第２の印刷エンジンにある第２のタイミングを有する第２の１次画像形成部材へ、受像シートを方向付けるステップと、
目標時間に基づいて、前記第２の印刷エンジンにおける固定のシート検出位置に対する前記受像シートの公称到達時間を計算するステップと、
前記固定の位置への実際の到達時間を測定し、前記第２の印刷エンジンにおける前記公称到達時間を使用して、実際の到達時間と前記公称時間との間の実際のタイミング変動値を求めるステップと、
前記実際のタイミング変動値が所定の誤差許容範囲内にあるかどうか判定し、そうでない場合、誤差に誤差限界としてフラグを立てる判定ステップと、
前記誤差限界をカウントして誤差限界数を求め、前記誤差限界数が許容範囲を超過した場合、前記誤差限界を発生させた情報を使用しないという信号を生成するカウントステップと、
を含む方法。
【請求項２】
前記誤差限界数が、２〜１０個の誤差限界を含む、請求項１に記載の方法。
【請求項３】
前記誤差限界数が、１０個の連続して印刷された受像体シートのうちの２つ以上の受像体から判定される、請求項１に記載の方法。